(57)【要約】      （修正有）【課題】中通し振り出し釣り竿の糸通しを、非常に簡単に一気に完了させ、また糸通しの失敗を皆無にし、竿先欠損の修復を容易にする糸通し用具を提供する。【解決手段】内面がロート状のストッパー１４のついた中通し振り出し釣り竿において、竿先端のガイドの穴７への挿入と竿内進行が容易な形状の釣り糸引っかけの仕掛け１３が、釣り糸引っかけの仕掛け１３の輪が挿入端１０に直結し、輪が長さの等しい２ないし３本の弾性を持つ細線を束ねたような形をしており、緩やかに湾曲した流線形で、細い管の中では管璧に押されて直線状になる、中通し振り出し釣り竿の糸通し用具である。ドッキングを必要としない糸通しが可能になり、一直線の作業で煩わしさがない。【選択図】図２
0003203535.tif 000002
【実用新案登録請求の範囲】
【請求項１】
内面がロート状のストッパーのついた中通し振り出し釣り竿
【請求項２】
竿先端のガイドの穴への挿入と竿内進行が容易な形状の釣り糸引っかけの仕掛けが、  釣り糸引っかけの仕掛けの輪が挿入端に直結し、輪が長さの等しい２ないし３本の弾性を持つ細線を束ねたような形をしており、緩やかに湾曲した流線形で、細い管の中では管璧に押されて直線状になる、中通し振り出し釣り竿の糸通し用具。
【請求項３】
釣り糸引っかけの仕掛けが、縫い針の頭状のものであって、糸通しの穴があり、穴の位置は適当に変えられ、その穴に滑りがよくすこし弾性を持つ金属、または合成樹脂の細線の輪を付けるか、または輪を付けず、開口部から出てそこで針孔に釣り糸を直接通すか、ハリスのような細い糸で輪を作りそれに太い釣り糸を引っかけるか、それらのいずれかを選択できる釣り糸引っかけの仕掛けを持つ中通し振り出し釣り竿の糸通し用具で、釣り糸引っかけの仕掛と挿入端が一体の糸通し用具。
【請求項４】
針金を折り曲げたような形の釣り糸引っかけの仕掛けで、仕掛けそのものが挿入端になり、２本の線は少し広げられる釣り糸引っかけの仕掛けを持つ中通し振り出し釣り竿の糸通し用具。
【請求項５】
竿先端のガイドの穴への挿入と竿内の進行を容易にする釣糸引っかけの仕掛けの挿入端部が、磁石にくっつく金属で出来ており、竿表面に開いた開口部より、磁石で竿外に取り出せる、中通し振り出し釣り竿の糸通し用具。
【考案の詳細な説明】
【技術分野】
【０００１】考案は煩わしい中通し振り出し釣り竿の糸通しを、非常に簡単に一気に完了させ、また糸通しの失敗を皆無にし、竿先欠損の修復を容易にする考案である。
【背景技術】
【０００２】振り出し釣り竿には、外通しと中通しの２種類のものがある。外通しの糸通しは目で見ながら行うので簡単だが、釣り糸を釣り竿の中を通して竿の先端から出す中通しには工夫がいる。その工夫が、ドッキングすなわち竿内ガイドの穴と先端節（ここでは継竿の１本１本を節と称す。）の節尻の穴をドッキングさせて開口部から入ってきた糸通し用具の挿入端を先端節の節尻の穴に導入する方法である。先端節の節尻は竿内にあって目に見えぬし、触れることも出来ぬのでこのドッキングの手法を使って糸通しを行っている。
【考案の概要】
【考案が解決しようとする課題】
【０００３】中通し振り出し釣り竿は外通し振り出し釣り竿に比し、釣り糸が竿に絡まない、外観が非常にすっきりしているという大きい長所を持っているが、一方では、糸通し作業が非常に煩わしくときには糸通しに失敗することもある。また竿先が欠損すると修復が非常に難しいという二つの大きい課題を持っている。
【課題を解決するための手段】
【０００４】中通し振り出し釣り竿の糸通しは、竿内ガイドとストッパーが背中合わせになった部品のストッパー側で、先端節の節尻を、節尻を収納する窪みを持つストッパーにドッキングさせて、開口部から入ってきて内部ガイドの穴を出たばかりの糸通し用具の挿入端を先端節の節尻の穴に導入する方法を取っている。ドッキングは竿内ガイドの穴と先端節の節尻の穴のドッキングのためのものである。開口部の直近には開口部補強具が付いており、糸通し作業の邪魔になっている。開口部の上で、導線を指でつまんで、竿内に斜め上方から押し下げながら少しずつ挿入端を前に進める。湾曲させて挿入を続けるため導線は弾性を持つ細である。これで糸通しに成功すればよいが、ときには、挿入端が先端節の節尻の穴に入らず先端節を押し上げたり、先端節の外周から出てきたりすることがある。課題が起こる理由を考えて解決手段を立てる。目に見え、触れることの出来る先端節の竿先端ガイドの穴に釣り糸引っかけの仕掛けを挿入し、開口部の下まで、一直線に釣り糸を迎えに行く。この方法を可能にするため、釣り糸引っかけの仕掛けを先端節の竿先端ガイドの穴に入り空洞内の通過で抵抗の少ない、挿入端直結の釣り糸引っかけの仕掛けにする。つぎに釣り竿のストッパーの内面をロート状に変えてガイドと同じような形状にし、竿先端ガイドの穴から入ってきた釣り糸引っかけの仕掛けに直結した挿入端がロート状の面に当たるとすべってガイド穴に導かれるようにし、開口部の真下まで容易に到達出来るようにする。開口部から、鉤の付いた棒、または磁石で竿外に引き出し、仕掛けに釣り糸を引っかけて、仕掛けを竿先端ガイドの穴の外まで引き戻す。仕掛けが釣り糸を連れて帰る。一気に差し込み、一気に引き戻す一直線の往復の一気通しで、絶対に失敗の無い糸通しである。導線をどこまで挿入するかの目印は導線に浮き止め糸を付けておき、そこまで挿入したら挿入を止めて、仕掛けを開口部から取り出す作業に取りかかればよい。このドッキング不要の糸通しは、同時に竿先欠損の修復が非常に難しいという課題の解決になっている。この課題は糸通しにドッキングの手法を用いることから起こっている。竿先が欠損すると、新しい先端ガイドは太くなった新しい先端に付けることになる。先端ガイドが大きくなり、隣の竿尻側の節の中に入れなくなる。節尻がドッキングの場所まで届かなくなる。ドッキング出来ないと糸通しが出来ない。その竿は使用不能になる。ドッキングを必要としない、竿先端ガイドの穴から挿入端直結の釣り糸引っかけの仕掛けを挿入する、ドッキング不要の糸通しの方法は同時にこの問題も解決する。
【考案の効果】
【０００５】中通し振り出し釣り竿の２大課題が解決されれば、後は外通し振り出し釣り竿にはない、外観がスッキリしていること、釣り糸が竿に絡まないことの２大長所のみ残る。足場の悪い岩場での糸通しも難なく行える。中通し振り出し釣り竿の一層の普及が期待される、また釣り竿製造面では、先端節の節尻の大きさ、形状に関係なく内面がロート状のストッパーは共通に使えるというメリットがある。製法の合理化になる
【図面の簡単な説明】
【０００６】
【図１】断面図的な図で、中通し振り出し釣り竿の、開口部より湾曲して入ってきた糸通し用具の挿入端をドッキングしているところに進めるため導線を押し進め、先端節の節尻の穴に入り込ませる糸通しの様子をわかりやすく示した図である。（先端節の節尻の記載は図が込み入るので省略、他の節も記載省略）
【図２】断面図的な図で、考案の内面がロート状のストッパーと、考案の挿入端直結の釣り糸引っかけの仕掛けが、目に見え、触れることの出来る竿先端ガイドの穴から一直線に先端節の中に入り先端節の節尻から出てきたところの図であり先端節を少し引き出して竿先端ガイドの穴に導線を押し込んでいるため節尻がストッパーまで届いていない図で、考案の糸通しのやり方，ドッキング不要の糸通しのやり方をわかりやすく示す図である。このようにすると、挿入端は他の節の内面を滑って、内面がロート状のストッパーに達する。（他の節の記載省略）
【図３】挿入と竿内進行が容易な釣り糸引っかけの仕掛けで、釣り糸引っかけの仕掛けの輪の先端に挿入端が直結した釣り糸引っかけの仕掛けの図である
【図４】挿入と竿内進行が容易な釣り糸引っかけの仕掛けで、縫い針の頭状のもので、糸通しの穴があり、穴の位置は適当に変えられ、その穴に初めから金属や合成樹脂の細線の輪を付けてもよいし、また輪を付けず、開口部から外へ出た後、その穴に釣り糸を直接引っかけるか、またはハリスで輪を作ってその輪に引っかけるか、いろいろなやり方のある、釣り糸引っかけの仕掛けの図である（釣糸引っかけの仕掛と挿入端が一体のものの図である。）
【図５】挿入と竿内進行が容易な釣り糸引っかけの仕掛けで、針金を折り曲げたような形状で、仕掛け即挿入端のものを示す図である。
【符号の説明】
【０００７】１  竿尻節
２  開口部
３  竿尻節のすぐ前の節
４  竿尻節のすぐ前の節の空間で、これより先の全ての節がストッパーにより収納される    ところ。  納竿はこの節を竿尻節に収めて完了になる。竿尻節とすぐ前の節を繋いで    糸通しをやる。
５  竿尻節のすぐ前の節の節尻にねじ込み式で取り付けられた、竿内ガイドとストッパー    が表裏一体となった部品
６  竿内ガイド
７  竿内ガイドの穴
８  ストッパー
９  先端節の節尻用のストッパーで、節尻の穴と竿内ガイドの穴とをドッキングさすため    の窪み
１０  糸通し用具の挿入端
１１  もう一つの端に釣り糸引っかけの仕掛けである輪の付いた導線
１２  進行方向
１３  考案の挿入端直結の釣り糸引っかけの仕掛け（２本の流線形の線の輪）
１４  考案の内面がロート状のストッパー
１５  導線
１６  先端節の節尻
１７  縫い針の頭状で、釣糸引っかけの仕掛けと挿入端が一体のもの
１８  針金を折り曲げたような形状で、釣糸引っかけの仕掛けと挿入端が一体のもの
【図１】
0003203535.tif 000003
【図２】
0003203535.tif 000004
【図３】
0003203535.tif 000005
【図４】
0003203535.tif 000006
【図５】
0003203535.tif 000007
【手続補正書】
【提出日】平成28年1月5日(2016.1.5)
【手続補正１】
【補正対象書類名】明細書
【補正対象項目名】全文
【補正方法】変更
【補正の内容】
【考案の詳細な説明】
【技術分野】
【０００１】考案は煩わしい中通し振り出し釣り竿の糸通しを、非常に簡単に一気に完了させ、また糸通しの失敗を皆無にし、竿先欠損の修復を容易にする考案である。
【背景技術】
【０００２】振り出し釣り竿には、外通しと中通しの２種類のものがある。外通しの糸通しは目で見ながら行うので簡単だが、釣り糸を釣り竿の中を通して竿の先端から出す中通しには工夫がいる。その工夫が、ドッキングすなわち竿内ガイドの穴と先端節（ここでは継竿の１本１本を節と称す。）の節尻の穴をドッキングさせて開口部から入ってきた糸通し用具の挿入端を先端節の節尻の穴に導入する方法である。先端節の節尻は竿内にあって目に見えぬし、触れることも出来ぬのでこのドッキングの手法を使って糸通しを行っている。
【考案の概要】
【考案が解決しようとする課題】
【０００３】中通し振り出し釣り竿は外通し振り出し釣り竿に比し、釣り糸が竿に絡まない、外観が非常にすっきりしているという大きい長所を持っているが、一方では、糸通し作業が非常に煩わしくときには糸通しに失敗することもある。また竿先が欠損すると修復が非常に難しいという二つの大きい課題を持っている。
【課題を解決するための手段】
【０００４】中通し振り出し釣り竿の糸通しは、竿内ガイドとストッパーが背中合わせになった部品のストッパー側で、先端節の節尻を、節尻を収納する窪みを持つストッパーにドッキングさせて、開口部から入ってきて内部ガイドの穴を出たばかりの糸通し用具の挿入端を先端節の節尻の穴に導入する方法を取っている。ドッキングは竿内ガイドの穴と先端節の節尻の穴のドッキングのためのものである。開口部の直近には開口部補強具が付いており、糸通し作業の邪魔になっている。開口部の上で、導線を指でつまんで、竿内に斜め上方から押し下げながら少しずつ挿入端を前に進める。湾曲させて挿入を続けるため導線は弾性を持つ細線である。これで糸通しに成功すればよいが、ときには、挿入端が先端節の節尻の穴に入らず先端節を押し上げたり、先端節の外周から出てきたりすることがある。課題が起こる理由を考えて解決手段を立てる。目に見え、触れることの出来る先端節の竿先端ガイドの穴に釣り糸引っかけの仕掛けを挿入し、開口部の下まで、一直線に釣り糸を迎えに行く。この方法を可能にするため、釣り糸引っかけの仕掛けを先端節の竿先端ガイドの穴に入り空洞内の通過で抵抗の少ない、挿入端直結の釣り糸引っかけの仕掛けにする。つぎに釣り竿のストッパーの内面を漏斗状に変えてガイドと同じような形状にし、竿先端ガイドの穴から入ってきた釣り糸引っかけの仕掛けに直結した挿入端が漏斗状の面に当たるとすべってガイド穴に導かれるようにし、開口部の真下まで容易に到達出来るようにする。開口部から、鉤の付いた棒、または磁石で竿外に引き出し、仕掛けに釣り糸を引っかけて、仕掛けを竿先端ガイドの穴の外まで引き戻す。仕掛けが釣り糸を連れて帰る。一気に差し込み、一気に引き戻す一直線の往復の一気通しで、絶対に失敗の無い糸通しである。導線をどこまで挿入するかの目印は導線に浮き止め糸を付けておき、そこまで挿入したら挿入を止めて、仕掛けを開口部から取り出す作業に取りかかればよい。このドッキング不要の糸通しは、同時に竿先欠損の修復が非常に難しいという課題の解決になっている。この課題は糸通しにドッキングの手法を用いることから起こっている。竿先が欠損すると、新しい先端ガイドは太くなった新しい先端に付けることになる。先端ガイドが大きくなり、隣の竿尻側の節の中に入れなくなる。節尻がドッキングの場所まで届かなくなる。ドッキング出来ないと糸通しが出来ない。その竿は使用不能になる。ドッキングを必要としない、竿先端ガイドの穴から挿入端直結の釣り糸引っかけの仕掛けを挿入する、ドッキング不要の糸通しの方法は同時にこの問題も解決する。
【考案の効果】
【０００５】中通し振り出し釣り竿の２大課題が解決されれば、後は外通し振り出し釣り竿にはない、外観がすっきりしていること、釣り糸が竿に絡まないことの２大長所のみ残る。足場の悪い岩場での糸通しも難なく行える。中通し振り出し釣り竿の一層の普及が期待される、また釣り竿製造面では、先端節の節尻の大きさ、形状に関係なく内面が漏斗状のストッパーは共通に使えるというメリットがある。製法の合理化になる
【図面の簡単な説明】
【０００６】
【図１】断面図的な図で、中通し振り出し釣り竿の、開口部より湾曲して入ってきた糸通し用具の挿入端をドッキングしているところに進めるため導線を押し進め、先端節の節尻の穴に入り込ませる糸通しの様子をわかりやすく示した図である。（先端節の節尻の記載は図が込み入るので省略、他の節も記載省略）
【図２】断面図的な図で、考案の内面が漏斗状のストッパーと、考案の挿入端直結の釣り糸引っかけの仕掛けが、目に見え、触れることの出来る竿先端ガイドの穴から一直線に先端節の中に入り先端節の節尻から出てきたところの図であり先端節を少し引き出して竿先端ガイドの穴に導線を押し込んでいるため節尻がストッパーまで届いていない図で、考案の糸通しのやり方，ドッキング不要の糸通しのやり方をわかりやすく示す図である。このようにすると、挿入端は他の節の内面を滑って、内面が漏斗状のストッパーに達する。（他の節の記載省略）
【図３】挿入と竿内進行が容易な釣り糸引っかけの仕掛けで、釣り糸引っかけの仕掛けの輪の先端に挿入端が直結した釣り糸引っかけの仕掛けの図である
【図４】挿入と竿内進行が容易な釣り糸引っかけの仕掛けで、縫い針の頭状のもので、糸通しの穴があり、穴の位置は適当に変えられ、その穴に初めから金属や合成樹脂の細線の輪を付けてもよいし、また輪を付けず、開口部から外へ出た後、その穴に釣り糸を直接引っかけるか、またはハリスで輪を作ってその輪に引っかけるか、いろいろなやり方のある、釣り糸引っかけの仕掛けの図である（釣糸引っかけの仕掛と挿入端が一体のものの図である。）
【図５】挿入と竿内進行が容易な釣り糸引っかけの仕掛けで、針金を折り曲げたような形状で、仕掛け即挿入端のものを示す図である。
【符号の説明】
【０００７】１    竿尻節
２    開口部
３    竿尻節のすぐ前の節
４    竿尻節のすぐ前の節の空間で、これより先の全ての節がストッパーにより収納され      るところ。納竿はこの節を竿尻節に収めて完了になる。竿尻節とすぐ前の節を繋い      で糸通しをやる。
５    竿尻節のすぐ前の節の節尻にねじ込み式で取り付けられた、竿内ガイドとストッパ      ーが一体となった部品
６    竿内ガイド
７    竿内ガイドの穴
８    ストッパー
９    先端節の節尻用のストッパーで、節尻の穴と竿内ガイドの穴とをドッキングさすた      めの窪み
１０  糸通し用具の挿入端
１１  もう一つの端に釣り糸引っかけの仕掛けである輪の付いた導線
１２  進行方向
１３  考案の挿入端直結の釣り糸引っかけの仕掛け（２本の流線形の線の輪）
１４  考案の内面が漏斗状のストッパー
１５  導線
１６  先端節の節尻
１７  縫い針の頭状で、釣糸引っかけの仕掛けと挿入端が一体のもの
１８  針金を折り曲げたような形状で、釣糸引っかけの仕掛けと挿入端が一体のもの
【手続補正２】
【補正対象書類名】実用新案登録請求の範囲
【補正対象項目名】全文
【補正方法】変更
【補正の内容】
【実用新案登録請求の範囲】
【請求項１】
内面が漏斗状のストッパーのついた中通し振り出し釣り竿
【請求項２】
竿先端のガイドの穴への挿入と竿内進行が容易な形状の釣り糸引っかけの仕掛けが、  釣り糸引っかけの仕掛けの輪が挿入端に直結し、輪が長さの等しい２ないし３本の弾性を持つ細線を束ねたような形をしており、緩やかに湾曲した流線形で、細い管の中では管璧に押されて直線状になる、中通し振り出し釣り竿の糸通し用具。
【請求項３】
釣り糸引っかけの仕掛けが、縫い針の頭状のものであって、糸通しの穴があり、穴の位置は適当に変えられ、その穴に滑りがよくすこし弾性を持つ金属、または合成樹脂の細線の輪を付けるか、または輪を付けず、開口部から出てそこで針孔に釣り糸を直接通すか、ハリスのような細い糸で輪を作りそれに太い釣り糸を引っかけるか、それらのいずれかを選択できる釣り糸引っかけの仕掛けを持つ中通し振り出し釣り竿の糸通し用具で、釣り糸引っかけの仕掛と挿入端が一体の糸通し用具。
【請求項４】
針金を折り曲げたような形の釣り糸引っかけの仕掛けで、仕掛けそのものが挿入端になり、２本の線は少し広げられる釣り糸引っかけの仕掛けを持つ中通し振り出し釣り竿の糸通し用具。
【請求項５】
竿先端のガイドの穴への挿入と竿内の進行を容易にする釣糸引っかけの仕掛けの挿入端部が、磁石にくっつく金属で出来ており、竿表面に開いた開口部より、磁石で竿外に取り出せる、中通し振り出し釣り竿の糸通し用具。
【手続補正３】
【補正対象書類名】図面
【補正対象項目名】全図
【補正方法】変更
【補正の内容】
【図１】
0003203535.tif 000008
【図２】
0003203535.tif 000009
【図３】
0003203535.tif 000010
【図４】
0003203535.tif 000011
【図５】
0003203535.tif 000012